(57)【特許請求の範囲】
【請求項１】
核酸関連物質を洗浄剤組成物中に１５〜７５ｍｇ／ｇと、ペクチナーゼ又はプロトペクチナーゼとを含有することを特徴とする衣料用洗浄剤組成物。
【請求項２】
核酸関連物質がヌクレオシドである請求項１記載の衣料用洗浄剤組成物。
【請求項３】
ヌクレオシドが、アデノシン、グアノシン、シチジン及びチミジンから選ばれる１種以上である請求項２記載の衣料用洗浄剤組成物。
【発明の詳細な説明】
【０００１】
【発明の属する技術分野】
本発明は核酸関連物質とペクチナーゼとを含有する洗浄剤組成物、特に衣料用洗剤として衣料に付着した泥汚れに対して優れた洗浄力を示す洗浄剤組成物に関する。
【０００２】
【従来の技術】
洗剤は一般に界面活性剤、金属イオン封鎖剤、アルカリ剤及びその他洗浄助剤より構成されている。界面活性剤は一般的に汚れを衣料から遊離し、洗濯液中に分散させる働きをする。界面活性剤には多くの種類が存在するが、このうち直鎖アルキルベンゼンスルホン酸塩、アルキル硫酸エステル塩及び脂肪酸塩等をはじめとする陰イオン界面活性剤は、洗剤成分として最も一般的な成分の一つであり、古くから洗剤の主基剤として使用されている。一方、洗浄助剤の酵素は、洗剤の洗浄力を向上させる効果を示し、蛋白分解酵素であるプロテアーゼ、脂肪分解酵素であるリパーゼ、澱粉分解酵素であるアミラーゼ、セルロース分解酵素であるセルラーゼ、漂白活性を有するオキシダーゼや、パーオキシダーゼを始めとする多くの酵素の配合が提案されている。例えば特公昭５９−４９２７９号公報にはセルラーゼ配合洗浄剤が、特開昭６０−２２６５９９号公報にはセルラーゼ、ペクチナーゼ、アミラーゼ、ヘミセルラーゼ又はプロテアーゼを配合した洗浄剤が、特公平６−３９５９６号公報には特定のペクチナーゼを含有する洗浄剤組成物が記載されている。
【０００３】
【発明が解決しようとする課題】
衣料に付着する汚れは、着用時に人体から分泌される代謝物（皮脂汚れ）と生活環境から持ち込まれる汚れ（泥汚れ）とに大別され、このうち、皮脂汚れは各種界面活性剤や、これらとビルダー、プロテアーゼ又は漂白剤との組み合わせによってかなり除去できるようになっているが、泥汚れは、有機物系の皮脂汚れと挙動が異なり、界面活性剤等の作用が有効に及ばないことから、皮脂汚れに比べて除去しにくい。上記の特開昭６０−２２６５９９号公報や特公平６−３９５９６号公報記載の洗浄剤は、泥汚れに対して優れた洗浄力を示すとされているが、通常の洗濯で用いられるようなｐＨ１０を超える高アルカリの系では酵素の効果が十分に発揮されず、十分な洗浄力とは言い難い。
【０００４】
従って、本発明は、泥汚れに対して極めて優れた洗浄力を発揮する洗浄剤組成物を提供することを目的とする。
【０００５】
【課題を解決するための手段】
本発明者らは上記の目的を達成するために鋭意検討した結果、特定の活性を有する酵素を含む洗浄剤にヌクレオシド、ヌクレオチドなどの核酸関連物質を添加することにより、泥汚れに対する洗浄力が向上することを見出し、本発明を完成するに至った。
【０００６】
すなわち、本発明は、核酸関連物質と、ペクチナーゼ又はプロトペクチナーゼとを含有することを特徴とする洗浄剤組成物を提供するものである。
【０００７】
本発明の洗浄剤組成物は、洗浄基剤である界面活性剤とビルダー成分を含有し、更に有効量の核酸関連物質とペクチナーゼ又はプロトペクチナーゼとを含有する。
【０００８】
本発明で用いられるペクチナーゼとしては、「マセロチウムＳ(Macerozyme S)」（ヤクルト薬品工業株式会社）、「セルロシンＰＥ６０」、「セルロシンＭＥ」、「セルロシンＧＭ５」（以上、阪急共栄物産株式会社）、「スクラーゼＮ」（三共株式会社）、「ペクトリアーゼ」（キッコーマン株式会社）などが挙げられる。また、プロトペクチナーゼとしては、Bucillus sub. IFO 3134株、Bucillus sub. IFO 12113 株の産生するプロトペクチナーゼが挙げられる。
【０００９】
本発明において、ペクチナーゼ又はプロトペクチナーゼは、組成物中に５０Ｕ／ｇ〜５０００Ｕ／ｇとなる量で配合するのが好ましい。ペクチナーゼ活性は、基質から１分間に１μmol のガラクチュロン酸を生成する活性を１Ｕとする。また、プロトペクチナーゼ活性はAgric. Biol. Chem., 53(5), 1212-1223, 1989（坂井ら）に記載の測定法による。
【００１０】
また、本発明に用いられる核酸関連物質とは、核酸もしくは核酸の部分分解物及びその構成単位であるヌクレオシドであり、ヌクレオシドとリン酸のエステルであるヌクレオチドを含む。具体的には、核酸としてＤＮＡ、ＲＮＡが挙げられる。ヌクレオシドとして、アデノシン、グアノシン、シチジン、チミジンが挙げられる。ヌクレオチドとしては、これらとリン酸のモノエステル、あるいは、リン酸基が二つ又は三つつながってエステル化した二リン酸、三リン酸が挙げられる。核酸関連物質としては、ヌクレオシドが好ましい。核酸関連物質は、組成物中に１．５〜１５０ｍｇ／ｇ、特に１５〜７５ｍｇ／ｇとなる量配合することが好ましい。
【００１１】
【発明の実施の形態】
本発明の洗浄剤組成物は、上記のように核酸関連物質と、ペクチナーゼ又はプロトペクチナーゼとを必須成分として含有するが、その他に下記のような当業界で使用される成分を配合することができる。
【００１２】
＜界面活性剤＞
本発明に配合される界面活性剤としては、従来より知られている物質を使用することができる。洗浄性を高める上で界面活性剤は、陰イオン界面活性剤、非イオン界面活性剤を主界面活性剤として使用することが好ましい。特に陰イオン界面活性剤としては、炭素数１０〜１８のアルキル鎖を持つ直鎖アルキルベンゼンスルホン酸塩、アルキル硫酸エステル塩、ポリオキシアルキレンアルキルエーテル硫酸塩、アルファスルホ脂肪酸メチルエステル塩等のアルカリ金属塩が好ましく、牛脂やヤシ由来の脂肪酸塩を少量配合してもよい。また非イオン界面活性剤としてはポリオキシアルキレン（好ましくはオキシエチレン及び／又はオキシプロピレン）アルキルエーテルが好適である。本発明において、界面活性剤は組成物中に１０〜５０重量％配合されるのが好ましい。
【００１３】
＜二価金属イオン捕捉剤＞
Ａ型ゼオライト等の結晶性アルミノ珪酸塩、トリポリリン酸塩等のリン酸塩、エチレンジアミン四酢酸塩、ニトリロ三酢酸塩等のアミノポリ酢酸塩、アクリル酸、メタクリル酸、イタコン酸、マレイン酸等の分子量数千〜１０万のホモポリマーないしコポリマー等が挙げられる。これらは通常１〜５０重量％配合される。
【００１４】
＜アルカリ剤＞
アルカリ剤としては、デンス灰や軽灰と総称される炭酸ナトリウム等のアルカリ金属炭酸塩、並びにＪＩＳ１号、２号、３号等の非晶質のアルカリ金属珪酸塩が挙げられる。これら、無機性のアルカリ剤は洗浄剤乾燥時に、粒子の骨格形成において効果的であり、比較的硬く、流動性に優れた洗浄剤を得ることができる。これら以外のアルカリとしては、セスキ炭酸ナトリウム、炭酸水素ナトリウムなどが挙げられ、また結晶性珪酸塩やトリポリリン酸塩等のリン酸塩もアルカリ剤としての作用を有する。本発明において、アルカリ剤は組成物中に５〜６０重量％配合されるのが好ましい。
【００１５】
＜その他の成分＞
過炭酸ナトリウム、過ホウ酸ナトリウム・１水塩等の漂白剤、漂白活性化剤、プロテアーゼ、リパーゼ、セルラーゼ、アミラーゼ等の（プロト）ペクチナーゼ以外の酵素、硫酸ナトリウム等の増量剤、ポリエチレングリコール（ＰＥＧ）、ポリビニルピロリドン（ＰＶＰ）及びポリビニルアルコール（ＰＶＡ）等の分散剤もしくは色移り防止剤、ホウ素化合物及び亜硫酸ナトリウム等の酵素安定剤、シリコーン／シリカ系等の消泡剤、酸化防止剤、吸油性担体、青味付剤、香料等の公知の成分を公知の量で配合することができる。
【００１６】
本発明の洗浄剤組成物は上記成分よりなるものであり、その製造方法は特に限定されることはなく、従来より公知の方法を用いることができる。好ましくは高嵩密度の粒状の組成物である。
【００１７】
【発明の効果】
本発明によれば、泥汚れに対する洗浄力に優れた洗浄剤組成物が得られる。
【００１８】
【実施例】
以下実施例にて本発明をより詳細に説明するが、本発明はこれらの実施例に限定されるものではない。
【００１９】
実施例１
花王（株）製洗剤「アタック」から酵素を除いた洗剤ベースを用いて、（１）酵素なし（洗剤ベースそのもの、比較品１）、（２）ペクチナーゼ４００Ｕ配合品（比較品２）及び（３）ペクチナーゼ４００Ｕとヌクレオシド４０ｍｇ（アデノシン、グアノシン、シチジン、チミジンを各１０ｍｇ）配合品（本発明品１）を調製し、それぞれの洗浄力を以下の方法で評価した。ここで、ペクチナーゼは何れもスクラーゼＮ（三共株式会社）である。また、ペクチナーゼとヌクレオシドの量は共に洗剤水溶液１リットルあたりの量である。その結果を表１に示す。
【００２０】
＜洗浄力試験＞
（１）人工泥汚染布の調製
鹿沼園芸用赤玉土を１２０℃±５℃で４ｈｒ乾燥後粉砕、１５０Ｍｅｓｈ（１００μｍ）パスのものを１２０℃±５℃で２ｈｒ乾燥後、土１５０ｇを１０００リットルのパークレンに分散し、金巾＃２０２３布をこの液に接触させ、ブラッシングし、分散液の除去、過剰汚れを脱落させる（特開昭５５−２６４７３号）。４ｃｍ×４ｃｍの試験片を調製し、実験に供下した。
【００２１】
（２）洗浄条件、洗浄方法及び評価方法
４°ＤＨ硬水に洗剤を溶解し、０．０６６７％洗剤水溶液１リットルを調製し、ターゴトメーター用ステンレスビーカーに移す。人工泥汚染布４枚を洗剤水溶液に加え、１００ｒｐｍ、３０℃で１０分間攪拌洗浄する。流水下で５分すすいだ後、アイロンプレスし反射率測定に供した。洗浄率の算出は下式に従った。
洗浄前の原布及び洗浄前後の汚染布の４６０ｎｍにおける反射率を分光色差計〔ミノルタ（株）製〕にて測定し、次式によって洗浄率（％）を算出した。
【００２２】
【数１】
0004030643.tif 000002
【００２３】
表１には５枚の平均値を示した。なお、洗浄前の洗剤水溶液のｐＨは１０．０であった。
【００２４】
【表１】
0004030643.tif 000003